(57)【要約】【課題】  被処理水中に含まれるイオン成分を分離除去することによりリサイクル可能な再生水を得ることができる水処理方法および水処理装置を提供すること。【解決手段】  被処理水に対してｐＨ調整装置１によりアルカリ剤もしくは酸を注入してアルカリ性もしくは酸性のｐＨに調整し、このｐＨ調整後の被処理液を逆浸透膜装置３に通して被処理水中に含まれるイオン成分を分離し、この逆浸透膜を通った処理水をイオン交換樹脂塔５中に流し、処理水中に残留するイオン成分を分離する。【選択図】図１
2005095741.tif 000002
【特許請求の範囲】
【請求項１】
被処理水に対してアルカリ剤もしくは酸を注入してアルカリ性もしくは酸性のいずれか一方のｐＨに調整し、このｐＨ調整後の被処理液を逆浸透膜に通して被処理水中に含まれるイオン成分を分離し、この逆浸透膜を通った処理水をイオン交換樹脂中に流し、処理水中に残留するイオン成分を分離することを特徴とする水処理方法。
【請求項２】
被処理水に対してアルカリ剤もしくは酸を注入してアルカリ性もしくは酸性のいずれか一方にｐＨを調整し、このｐＨ調整後の被処理水を第１の逆浸透膜に通して被処理水中に含まれるイオン成分を分離し、この第１の逆浸透膜を通った処理水にアルカリ剤又は酸のいずれか他方を注入してアルカリ性又は酸性のいずれか他方にｐＨを調整し、このｐＨ調整後に第２の逆浸透膜に対する被処理水として流し、この被処理水中に含まれるイオン成分を分離し、この第２の逆浸透膜を通った処理水をイオン交換樹脂中に流し、処理水中に残留するイオン成分を分離することを特徴とする水処理方法。
【請求項３】
被処理水に対して酸化剤を注入し、被処理中のシアンをシアン酸に分解し、逆浸透膜によるシアン分離性能を向上させることを特徴とする請求項１又は請求項２に記載の水処理方法。
【請求項４】
被処理水に対してアルカリ剤もしくは酸を注入してアルカリ性もしくは酸性のいずれか一方のｐＨに調整するｐＨ調整装置と、
このｐＨ調整装置によってｐＨ調整された被処理水を逆浸透膜に通して被処理水中に含まれるイオン成分を分離する逆浸透膜装置と、
この逆浸透膜を通った処理水をイオン交換樹脂中に流し、処理水中に残留するイオン成分を分離するイオン交換樹脂塔と、
を備えたことを特徴とする水処理装置。
【請求項５】
被処理水に対してアルカリ剤もしくは酸を注入してアルカリ性もしくは酸性のいずれか一方にｐＨを調整する第１のｐＨ調整装置と、
この第１のｐＨ調整装置によりｐＨ調整された被処理水を逆浸透膜に通して被処理水中に含まれるイオン成分を分離する第１の逆浸透膜装置と、
この第１の逆浸透膜装置を通った処理水にアルカリ剤又は酸のいずれか他方を注入してアルカリ性又は酸性のいずれか他方にｐＨを調整する第２のｐＨ調整装置と、
この第２のｐＨ調整装置によりｐＨ調整された処理水を被処理水として逆浸透膜に流し、この被処理水中に含まれるイオン成分を分離する第２の逆浸透膜装置と、
この第２の逆浸透膜装置を通った処理水をイオン交換樹脂中に流し、処理水中に残留するイオン成分を分離するイオン交換樹脂塔と、
を備えたことを特徴とする水処理装置。
【請求項６】
イオン交換樹脂塔に代って電気再生型イオン交換樹脂装置を用いたことを特徴とする請求項４又は請求項５に記載の水処理装置。
【請求項７】
被処理水に対して酸化剤を注入し、被処理中のシアンをシアン酸に分解し、逆浸透膜によるシアン分離性能を向上させる酸化剤注入装置を設けたことを特徴とする請求項４乃至請求項６のいずれかに記載の水処理装置。
【請求項８】
イオン交換塔の陰イオンの再生廃液排出側下流に設けられ、陰イオンの再生廃液に酸化剤を注入し、再生廃液中のシアンをシアン酸に分解するか、もしくは完全分解する酸化剤注入装置を有する特徴とする請求項４又は請求項５に記載の水処理装置。
【請求項９】
電気再生型イオン交換樹脂装置の濃縮廃液排出側下流に設けられ、濃縮廃液に酸化剤を注入し、濃縮廃液中のシアンをシアン酸に分解するか、もしくは完全分解する酸化剤注入装置を有することを特徴とする請求項６に記載の水処理装置。
【請求項１０】
酸化剤注入装置に代ってオゾン廃液処理装置を設け、廃液中にオゾンを注入することを特徴とする請求項８又は請求項９に記載の水処理装置。
【請求項１１】
酸化剤注入装置の下流側に設けられ、酸化剤注入装置からの廃液を濃縮して蒸留水を得る蒸発濃縮器を有することを特徴とする請求項８又は請求項９に記載の水処理装置。
【請求項１２】
蒸発濃縮器の濃縮廃液排出側に設けられ、濃縮廃液を乾燥もしくは析出させて、濃縮廃液中のイオン成分を固体として回収する造粒装置を有することを特徴とする請求項１１に記載の水処理装置。
【請求項１３】
逆浸透膜の上流側に設けられ、被処理水中の有機成分を除去する活性炭吸着塔を有することを特徴とする請求項４又は請求項５に記載の水処理装置。
【発明の詳細な説明】
【技術分野】
【０００１】
本発明は、各種設備から排出される廃液などの被処理水に所定の処理を施してリサイクル可能な処理水を得る水処理方法および水処理装置に関する。
【背景技術】
【０００２】
近年、環境保護に関する社会的要求が強くなり、環境への有害物質の放出を防止する技術について、各種の提案がなされている（例えば、特許文献１参照）。この提案は、外部に放出される可能性のあるガス中から、シアンなどの有害物質を除去するものである。
【０００３】
上記処理はガス体に対するものであるが、ごみ処理設備など、各種の処理設備から廃液が発生し、これらから有害物質を除去してリサイクル可能な状態に造水できることが強く望まれている。
【特許文献１】特開２００１−４１４３７号公報
【発明の開示】
【発明が解決しようとする課題】
【０００４】
しかしながら、これらの廃液は含有塩物質が多く、廃液を化学的に処理しようとすると多量の薬品が必要になる。このため再利用が困難であると共に、水処理プラントの負荷が大きくなってしまう。また、水処理後の再生水の塩濃度が高いため、その利用に問題がある。すなわち、塩濃度の高い再生水を使用すると機器に腐食が生じたり、腐食生成物による弊害が発生する。さらに、排水中にアンモニア、演算、硫酸、シアンなどが混入している場合が多く、これらを確実に除去できることが強く要求されている。
【０００５】
本発明の目的は、被処理水中に含まれるイオン成分を分離除去することによりリサイクル可能な再生水を得ることができる水処理方法および水処理装置を提供することにある。
【課題を解決するための手段】
【０００６】
本発明による水処理方法は、被処理水に対してアルカリ剤もしくは酸を注入してアルカリ性もしくは酸性のｐＨに調整し、このｐＨ調整後の被処理液を逆浸透膜に通して被処理水中に含まれるイオン成分を分離し、この逆浸透膜を通った処理水をイオン交換樹脂中に流し、処理水中に残留するイオン成分を分離することを特徴とする。
【０００７】
また、本発明の水処理方法は、被処理水に対してアルカリ剤もしくは酸を注入してアルカリ性もしくは酸性のいずれか一方にｐＨを調整し、このｐＨ調整後の被処理水を第１の逆浸透膜に通して被処理水中に含まれるイオン成分を分離し、この第１の逆浸透膜を通った処理水にアルカリ剤又は酸のいずれか他方を注入してアルカリ性又は酸性のいずれか他方にｐＨを調整し、このｐＨ調整後に第２の逆浸透膜に対する被処理水として流し、この被処理水中に含まれるイオン成分を分離し、この第２の逆浸透膜を通った処理水をイオン交換樹脂中に流し、処理水中に残留するイオン成分を分離するようにしてもよい。
【０００８】
さらに、本発明の水処理方法では、被処理水に対して酸化剤を注入し、被処理中のシアンをシアン酸に分解し、逆浸透膜によるシアン分離性能を向上させるようにしてもよい。
【０００９】
本発明による水処理装置は、被処理水に対してアルカリ剤もしくは酸を注入して任意のｐＨに調整するｐＨ調整装置と、このｐＨ調整装置によってｐＨ調整された被処理水を逆浸透膜に通して被処理水中に含まれるイオン成分を分離する逆浸透膜装置と、この逆浸透膜を通った処理水をイオン交換樹脂中に流し、処理水中に残留するイオン成分を分離するイオン交換樹脂塔とを備えたことを特徴とする。
【００１０】
また、本発明の水処理装置は、被処理水に対してアルカリ剤もしくは酸を注入してアルカリ性もしくは酸性のいずれか一方にｐＨを調整する第１のｐＨ調整装置と、この第１のｐＨ調整装置によりｐＨ調整された被処理水を逆浸透膜に通して被処理水中に含まれるイオン成分を分離する第１の逆浸透膜装置と、この第１の逆浸透膜装置を通った処理水にアルカリ剤又は酸のいずれか他方を注入してアルカリ性又は酸性のいずれか他方にｐＨを調整する第２のｐＨ調整装置と、この第２のｐＨ調整装置によりｐＨ調整された処理水を被処理水として逆浸透膜に流し、この被処理水中に含まれるイオン成分を分離する第２の逆浸透膜装置と、この第２の逆浸透膜装置を通った処理水をイオン交換樹脂中に流し、処理水中に残留するイオン成分を分離するイオン交換樹脂塔とで構成してもよい。
【００１１】
また、本発明の水処理装置では、イオン交換樹脂塔に代って電気再生型イオン交換樹脂装置を用いてもよい。
【００１２】
また、本発明の水処理装置では、被処理水に対して酸化剤を注入し、被処理中のシアンをシアン酸に分解し、逆浸透膜によるシアン分離性能を向上させる酸化剤注入装置を設けてもよい。
【００１３】
また、本発明の水処理装置では、イオン交換塔の陰イオンの再生廃液排出側下流に設けられ、陰イオンの再生廃液に酸化剤を注入し、再生廃液中のシアンをシアン酸に分解するか、もしくは完全分解する酸化剤注入装置を有する構成でもよい。
【００１４】
また、本発明の水処理装置では、電気再生型イオン交換樹脂装置の濃縮廃液排出側下流に設けられ、濃縮廃液に酸化剤を注入し、濃縮廃液中のシアンをシアン酸に分解するか、もしくは完全分解する酸化剤注入装置を有する構成でもよい。
【００１５】
また、本発明の水処理装置では、酸化剤注入装置に代ってオゾン廃液処理装置を設け、廃液中にオゾンを注入するように構成してもよい。
【００１６】
この場合、酸化剤注入装置の下流側に、酸化剤注入装置からの廃液を濃縮して蒸留水を得る蒸発濃縮器を設けてもよい。
【００１７】
また、蒸発濃縮器の濃縮廃液排出側に、濃縮廃液を乾燥もしくは析出させて、濃縮廃液中のイオン成分を固体として回収する造粒装置を設けてもよい。
【００１８】
さらに、本発明の水処理装置では、逆浸透膜の上流側に、被処理水中の有機成分を除去する活性炭吸着塔を設けてもよい。
【発明の効果】
【００１９】
本発明によれば、被処理水のｐＨをアルカリ性もしくは酸性の状態に調整した後、この被処理水を逆浸透膜に流して、被処理水中のイオン成分を分離し、その後、さらに、イオン交換樹脂により残留イオン成分を分離するので、シアンなどの有害成分を除去したリサイクル可能な再生水を得ることができる。
【発明を実施するための最良の形態】
【００２０】
以下、本発明の実施形態について図面を用いて説明する。
【００２１】
図１は第１実施形態を示す基本的なシステム構成図である。図１において、図示しない各種の処理設備から排出された廃液は、ｐＨ調整装置１に移送され、アルカリ剤もしくは酸などの中和剤の注入によって任意のｐHに調整される。たとえば、廃液中にアンモニアが含まれている場合、ｐＨを中性から酸性に調整する。また、廃液中にシアンが含まれている場合は、ｐＨを中性からアルカリ性に調整する。これは、周知のように、アンモニアは酸性の液中に安定して保持され、シアンはアルカリ性の液中に安定して保持されるという化学的特性を利用したものである。
【００２２】
ｐＨ調整装置１により、ｐＨを調整された被処理水（廃液）は、移送ポンプ２により逆浸透膜（以下、ＲＯ膜と呼ぶ）装置３に移送される。ＲＯ膜装置３では、被処理水中に含まれるイオン成分をＲＯ膜によって分離し、処理水として排出する。また、分離されたイオン成分は濃縮廃液として系外に排出される。排出された濃縮廃液は、図示しない上流設備にイオン成分の処理設備がある場合は上流設備に返送される。
【００２３】
ＲＯ膜装置３によりイオン成分を分離された処理水は、移送ポンプ４によってイオン交換樹脂塔５に送られる。イオン交換樹脂塔５は周知のように、容器内にイオン交換樹脂を充填し、この容器内に液体を流すことにより、液中のイオン成分をイオン交換樹脂に吸着させ、分離するものである。吸着量が限界になったなら、一旦運転を中止し、再生薬品（アルカリ剤と酸）を注入して洗浄し、再生させる。そして、再生廃液を排出した後、再びイオン成分の吸着を行う。
【００２４】
この場合、イオン交換樹脂塔５を複数段並列に接続し、一方のイオン交換樹脂塔５が上述の洗浄・再生のために運転を停止したとき、他方のイオン交換樹脂塔５を運転状態とするように運用するとよい。すなわち、イオン交換樹脂塔５を１基で運用すると、イオン交換樹脂の再生時には廃液処理ができず、連続運転ができなくなるが、イオン交換樹脂塔５を並列に複数段設置し交互運用することで廃液の連続処理が可能となる。
【００２５】
イオン交換樹脂による処理は、イオン分離性能が高く、純水製造も可能である。したがって、このイオン交換樹脂塔５によって処理された処理水は、純水と同等に再生され、再利用可能な水となる。
【００２６】
このように、ｐＨ調整装置１によって被処理水のｐＨを調整し、ｐＨ調整後の被処理水をＲＯ膜装置３に流し、ＲＯ膜によって被処理水中のイオン成分を分離し、さらにイオン交換樹脂塔５で残存イオン成分を吸着分離させるようにしたので、純水とほぼ同等の処理水が得られ、各種の再利用が可能となる。
【００２７】
図２は第２実施形態を示す基本的なシステム構成図である。この実施形態では、図１で示したイオン交換樹脂塔５に代って、電気再生型イオン交換樹脂装置６を用いている。この電気再生型イオン交換樹脂装置６は、図３で示すように、陽イオン交換膜６１と陰イオン交換膜６２とで、中央の脱塩室６３とその両側の濃縮室６４，６４との３室に仕切られている。これら陽イオン交換膜６１および陰イオン交換膜６２に、対応する極性の直流電圧を印加すると共に、中央の脱塩室内に混床イオン交換樹脂６５を充填している。
【００２８】
この電気再生型イオン交換樹脂装置６では、処理対象水は中央の脱塩室６３内に流れ、ここでイオン交換樹脂６５とイオン交換膜６１，６２との働きにより、液中に残留しているイオン成分を吸着分離し、且つ再生しながら処理する。すなわち、液中のイオン成分は、まずイオン交換樹脂６５により吸着される。このイオン交換樹脂６５に吸着されたイオン成分は、所定の極性の電圧が印加されたイオン交換膜６１，６２により両側の濃縮室６４，６４内に移動し、イオン交換樹脂６５は再生される。すなわち、イオン交換樹脂６５は再生されながら液中のイオン成分を吸着するので、吸着能力が限界になることはない。したがって、１台のみであっても再生のための運転中止を行うことなく、イオン成分の連続的な吸着分離処理が可能となる。
【００２９】
図２の構成において、各種の処理設備から排出された廃液は、ｐＨ調整装置１に移送されアルカリ剤もしくは酸などの中和剤の注入によってアルカリ性もしくは酸性のｐHに調整される。ｐＨ調整装置１によってｐＨを調整された被処理水は、移送ポンプ２によりＲＯ膜装置３に移送される。ＲＯ膜装置３では、被処理水中に含まれるイオン成分をＲＯ膜によって分離し、処理水として排出する。
【００３０】
ＲＯ膜装置３によりイオン成分を分離された処理水は、移送ポンプによって電気再生型イオン交換樹脂装置６の脱塩室６３に送られる。電気再生型イオン交換樹脂装置６では、前述のように、イオン交換樹脂６５を再生しながら液中のイオン成分を吸着・分離する。イオン成分を分離した廃液は、両側の濃縮室６４，６４から系外に排出するか、図示しない上流設備にイオン成分の処理設備がある場合は、上流設備に返送される。
【００３１】
このように、ｐＨ調整装置１によって被処理水のｐＨを調整し、ｐＨ調整後の被処理水をＲＯ膜装置３に流し、ＲＯ膜によって被処理水中のイオン成分を分離し、さらに電気再生型イオン交換樹脂装置６で残存イオン成分を吸着分離させるようにしたので、純水とほぼ同等の処理水が得られ、各種の再利用が可能となる。
【００３２】
また、電気再生型イオン交換樹脂装置６を用いたことにより、イオン交換樹脂を再生するための運転停止が不要となり、１台で２４時間連続処理が可能となった。すなわち、イオン交換樹脂再生のための運転停止を要しないため、この運転停止のために予備機を設けて交互運転する必要はなく、設備をコンパクト化できる。また、イオン交換樹脂再生のために薬品を使用しないため、２次廃棄物の発生がなくなる。
【００３３】
図４はｐH調整装置とＲＯ膜装置とを２段に設けた実施形態を示している。前段に設けられたＲＯ膜装置３（これを第１のＲＯ膜装置と呼ぶ）から排出された処理液は、新たに設けられた第２のｐＨ調整装置７に送られ、アルカリ剤および酸で任意のｐHに調整され、移送ポンプ４で第２のＲＯ膜装置８に送られる。なお、第１のＲＯ膜装置３の前段には、図示していないが、図１および図２で示したように、ｐＨ調整装置（これを第１のｐＨ調整装置を呼ぶ）１が設けられ、また、第２のＲＯ膜装置８の後段には、図示していないが、図１で示したイオン交換樹脂塔５又は図２で示した電気再生型イオン交換樹脂装置６が接続されている。
【００３４】
このように、ｐH調整装置とＲＯ膜装置とを２段に設けたのは、被処理水に性質の異なる分離対象物質が共存した場合に、これらをそれぞれ個別に分離するためである。たとえば、被処理水（廃液）にアンモニアとシアンが共存している場合、図１で示したｐＨ調整装置（第１のｐＨ調整装置）１では中和剤として酸を注入して、被処理水のｐＨを酸性に調整し、アンモニアを被処理水中に保持させる。ｐＨを酸性に調整された被処理水（廃液）は、第１のＲＯ膜装置３に移送され、イオン成分（アンモニア）がＲＯ膜によって分離され、排出される。
【００３５】
第１のＲＯ膜装置３から排出された処理水は、図４で示した第２のｐＨ調整装置７により、中和剤としてアルカリ剤が注入され、ｐＨをアルカリ性に調整される。このためシアンを水中に安定に保持する。このように第２のｐＨ調整装置７でｐＨをアルカリ性に調整された後、被処理水として第２のＲＯ膜装置８に移送され、イオン成分（シアン）がＲＯ膜によって分離され、排出される。
【００３６】
第２のＲＯ膜装置８によりイオン成分を分離された処理水は、イオン交換樹脂塔５又は電気再生型イオン交換樹脂装置６に送られ、処理水中に残留しているイオン成分は吸着分離される。
【００３７】
このように第１のＲＯ膜装置３によりアンモニアが、第２のＲＯ膜装置８によりシアンが、それぞれ個別に分離され、それぞれの分離性能を向上することができる。さらに残留するイオン成分はイオン交換樹脂塔５又は電気再生型イオン交換樹脂装置６で吸着分離されるため、性質の異なる成分が共存している被処理水に対しても有効に分離処理することができ、純水と同等の処理水が得られ、各方面での再利用が可能となる。
【００３８】
図５は酸化剤注入装置を設け、予めシアンを分解する実施形態を示している。この実施の形態では、第１のｐＨ調整装置１の前段に酸化剤注入装置９を設けている。このため、廃液は、まず酸化剤注入装置９に移送され、酸化剤の注入によって廃液中のシアンをシアン酸に分解するか、もしくは完全分解する。この後は、これまでの実施の形態と同様にｐＨ調整装置１を経てｐＨを調整した後、ＲＯ膜装置３によりイオン成分を分離する。
【００３９】
このように構成したことにより、廃液（被処理水）は予め酸化剤が注入されることにより、被処理水中のシアンが分解されているので、ＲＯ膜装置３によるイオン成分の分離性能が向上し、効率よく被処理水に含まれているシアンを分離することができる。
【００４０】
図６は、図１で示したイオン交換樹脂塔５から排出される再生廃液の処理に関する実施形態を示している。この実施の形態では、イオン交換樹脂塔５から排出される陰イオン再生廃液の管路に酸化剤注入装置１０を設けている。
【００４１】
イオン交換樹脂塔５内のイオン交換樹脂は、前述のように、被処理液からイオン成分を吸着分離するが、吸着量が限界になると一旦運転を中止し、再生薬品を注入して洗浄し、再生させる。その際、再生廃液が排出される。イオン交換樹脂塔５から排出される陰イオン再生廃液は酸化剤注入装置１０に移送され、Ｃｌ２や過酸化水素水等の酸化剤が注入混合される。この酸化剤注入により、陰イオン再生廃液中のシアンをシアン酸に分解するか、もしくは完全分解する。このようにシアンを分解処理した後、系外へシアンを含まない廃液として、或いは図示しない後段の処理装置で分離回収しやすい形態として排出する。この場合、陰イオン再生廃液中にはシアンの酸化分解を妨害する物質が含まれていないため、シアンの分解効率が向上する。
【００４２】
図７は、図２で示した電気再生型イオン交換樹脂装置６から排出される濃縮廃液の処理に関する実施形態を示している。この実施の形態では、電気再生型イオン交換樹脂装置６から排出される濃縮廃液の管路に酸化剤注入装置１１設けている。
【００４３】
電気再生型イオン交換樹脂装置６では、図３で説明したように、処理対象水は中央の脱塩室６３内に流れ、ここでイオン交換樹脂６５とイオン交換膜６１，６２が機能し、液中に残留しているイオン成分を吸着・分離し、且つ再生しながら処理する。イオン交換樹脂６５に吸着されたイオン成分は、所定の極性の電圧が印加されたイオン交換膜６１，６２により両側の濃縮室６４，６４内に移動し、イオン交換樹脂６５は再生される。この再生廃液は循環処理されて濃縮され、排出される。
【００４４】
このようにして電気再生型イオン交換樹脂装置６から排出された濃縮廃液は、酸化剤注入装置１１に移送され、Ｃｌ２や過酸化水素水等の酸化剤が注入混合される。この酸化剤注入により、濃縮廃液中のシアンをシアン酸に分解し、もしくは完全分解する。このようにシアンを分解処理した後、系外へシアンを含まない廃液として、或いは図示しない後段の処理装置で分離回収しやすい形態として排出する。
【００４５】
図８は、図６および図７で示した酸化剤注入装置１０，１１に代ってオゾン廃液処理装置１２を設けた実施形態を示している。図８では、電気再生型イオン交換樹脂装置６から排出される濃縮廃液の管路にオゾン廃液処理装置１２を設けた場合を示しているが、図６で示したイオン交換樹脂塔５から排出される陰イオン再生廃液の管路にオゾン廃液処理装置１２を設けてもよい。
【００４６】
このように構成したことにより、電気再生型イオン交換樹脂装置６から排出される濃縮廃液や、イオン交換樹脂塔５から排出される陰イオン再生廃液中にオゾンが注入される。このようにオゾンを注入することにより、廃液中のシアンをシアン酸に分解するか、もしくは完全分解する。こうしてシアンを分解処理した後、系外へシアンを含まない廃液として、或いは図示しない後段の処理装置で分離回収しやすい形態として排出する。また、オゾンは酸化分解後酸素になるため、塩等の残留物を残さない。そのため廃液発生量の軽減が可能となる。
【００４７】
図９は、再生廃液に対する酸化剤注入後の処理水の濃縮処理に関する実施形態を示している。この実施の形態では、図６で示した酸化剤注入装置１０から排出された処理液の管路に蒸発濃縮器１３を設けている。もちろん、図７で示した酸化剤注入装置１１から排出される処理液の管路に蒸発濃縮器１３を設けてもよい。
【００４８】
この場合、酸化剤注入装置１０（又は１１）からは、酸化剤注入によりシアンが分解された処理水が排出される。この処理水は蒸発濃縮器１３に移送され、加熱により清浄な蒸留水と濃縮廃液に分離される。蒸留水中には有害な成分が含まれていないため再利用もしくは環境へ放出することができる。
【００４９】
一方、濃縮廃液は系外に廃棄物として排出してもよく、或いは図示のように造粒装置１４に移送してもよい。この場合、蒸発濃縮器１３から排出された濃縮廃液は造粒装置１４で再度濃縮される。その結果、析出した塩を固体廃棄物として系外へ排出する。これによって廃棄物は減容され排出量の軽減が図れる。
【００５０】
図１０は、図１および図２で示したｐＨ調整装置１の前段に活性炭吸着塔１５を設けた実施形態を示している。このように構成したことにより、被処理水（廃液）は、まず活性炭吸着塔１５に移送され、活性炭によって廃液中に含まれる有機成分が分離除去される。この後、被処理水は、ｐＨ調整装置１に移送され、上述の各実施の形態と同様の処理が実施される。
【００５１】
ここで、廃液中の有機成分は有害物質を含んでいたりして、後段のＲＯ膜装置３等に不具合を与える可能性があるが、活性炭吸着塔１５によって事前に有機成分を除去したことにより上記不具合を解消できる。
【図面の簡単な説明】
【００５２】
【図１】本発明による水処理装置の一実施の形態を示すブロック図である。
【図２】同上一実施の形態におけるイオン交換樹脂塔に代って電気再生式イオン交換樹脂装置を用いた実施の形態を示すブロック図である。
【図３】本発明に用いる電気再生式イオン交換樹脂装置の動作原理説明図である。
【図４】本発明の、ｐＨ調整装置およびＲＯ膜装置を２段に設けた実施の形態を示す部分図である。
【図５】本発明の、ｐＨ調整装置の前段に酸化剤注入装置を設けた実施の形態を示す部分図である。
【図６】本発明の、イオン交換樹脂塔の再生廃液を酸化剤注入により処理する実施の形態を示す部分図である。
【図７】本発明の、電気再生型イオン交換樹脂装置の再生廃液を酸化剤注入により処理する実施の形態を示す部分図である。
【図８】本発明の、再生廃液をオゾン注入により処理する実施の形態を示す部分図である。
【図９】本発明の、再生は胃液に対する酸化剤注入装置から排出される処理液を濃縮処理する実施の形態を示す部分図である。
【図１０】本発明の、ｐＨ調整装置の前段に活性炭吸着等を設けた実施の形態を示す部分図である。
【符号の説明】
【００５３】
１    第１のｐＨ調整装置
３    第１の逆浸透膜（ＲＯ膜）装置
５    イオン交換樹脂塔
６    電気再生型イオン交換樹脂装置
７    第２のｐＨ調整装置
８    第２の逆浸透膜（ＲＯ膜）装置
９，１０，１１    酸化剤注入装置
１２    オゾン廃液処理装置
１３    蒸発濃縮器
１４    造粒装置
【図１】
2005095741.tif 000003
【図２】
2005095741.tif 000004
【図３】
2005095741.tif 000005
【図４】
2005095741.tif 000006
【図５】
2005095741.tif 000007
【図６】
2005095741.tif 000008
【図７】
2005095741.tif 000009
【図８】
2005095741.tif 000010
【図９】
2005095741.tif 000011
【図１０】
2005095741.tif 000012